(57)【特許請求の範囲】
【請求項１】
ミシン本体に接続及び非接続可能な外部記憶媒体であって、複数の模様を形成するための情報と、その記憶媒体を識別するための情報とを有する外部記憶媒体と、
ミシン本体に備えられ、該外部記憶媒体に記憶された複数の模様を形成するための情報に対応する複数の模様を表示するための情報と該外部記憶媒体を識別するための情報を予め記憶する手段と、
前記外部記憶媒体を識別するための情報をミシン本体に与える手段と、
該与えられた識別するための情報に基づいて、該外部記憶媒体に対応する前記複数の模様を表示するための情報を前記予め記憶する手段から出力可能とする有効化手段と、
該有効化手段により出力可能とされた表示するための情報に基づいて前記外部記憶媒体に対応する前記複数の模様を表示可能であり、該識別するための情報に基づいて前記外部記憶媒体を識別するための情報を表示する表示手段と、
前記模様情報に基づいて刺繍縫いを実行可能な刺繍縫い機構と、
を有することを特徴とする外部記憶媒体の模様情報に基づく刺繍縫いが可能なミシン。
【請求項２】
前記外部記憶媒体を識別するための情報をミシン本体に与える手段が、外部記憶媒体に記憶された識別するための情報を読み取る手段である、
請求項１に記載の外部記憶媒体の模様情報に基づく刺繍縫いが可能なミシン。
【請求項３】
前記外部記憶媒体を識別するための情報をミシン本体に与える手段が、当該外部記憶媒体を識別するための情報をミシン本体に入力する手段である、
請求項１に記載の外部記憶媒体の模様情報に基づく刺繍縫いが可能なミシン。
【請求項４】
所定の模様を形成するための情報と、該模様を表示するための情報を有する内部記憶媒体を更に備えた、
請求項１又は２又は３に記載の外部記憶媒体の模様情報に基づく刺繍縫いが可能なミシン。
【請求項５】
前記外部記憶媒体に記憶された模様を表示するための情報を組み合わせて前記表示手段に組み合わせ模様を表示させる手段と、
該手段により組み合わされた組み合わせ模様の刺繍縫いをミシン本体の刺繍縫い機構に実行させる手段と、を更に備えた、
請求項１又は２又は３に記載の外部記憶媒体の模様情報に基づく刺繍縫いが可能なミシン。
【請求項６】
前記外部記憶媒体と内部記憶媒体の中の１又は２に記憶された模様を表示するための情報を組み合わせて前記表示手段に組み合わせ模様を表示させる手段と、
該手段により組み合わされた組み合わせ模様の刺繍縫いをミシン本体の刺繍縫い機構に実行させる手段と、を更に備えた、
請求項４に記載の外部記憶媒体の模様情報に基づく刺繍縫いが可能なミシン。
【請求項７】
前記表示手段が、組み合わせ模様の刺繍縫いを実行するに必要な外部記憶媒体を識別するための情報を、前記記憶する手段に記憶された識別するための情報に基づいて表示する、
請求項６に記載の外部記憶媒体の模様情報に基づく刺繍縫いが可能なミシン。
【発明の詳細な説明】
【０００１】
【産業上の利用分野】
この発明は外部記憶媒体の模様情報に基づく刺繍縫いが可能なミシンに関する。
【０００２】
【従来の技術】
刺繍縫い機構を備えたミシンは、メモリに記憶した模様データに基づいて刺繍縫いを行う構成になっている。模様データを記憶したメモリはミシン本体に内蔵させる場合と、ＲＯＭカード等の外部記憶媒体に記憶させておき、適宜該外部記憶媒体をミシン本体に接続して用いる場合がある。またこれらを併用した構成とするのも一般的である。
ＲＯＭカード等の外部記憶媒体を用いる場合には、ミシン本体内部に大きな容量のメモリを備える必要がなく、またユーザが任意のＲＯＭカードを購入して模様データを得ることができ、更に新規の模様データを順次販売できる等の利点を有している。
【０００３】
【発明が解決しようとする課題】
しかし、ＲＯＭカード等の外部記憶媒体を用いる場合には、刺繍模様を選択する際に、どの外部記憶媒体にどのような模様が入力されているか分かりずらく、その都度外部記憶媒体を差し替えて確認しなければならない欠点がある。
また、異なる外部記憶媒体に格納された模様を組み合わせて刺繍縫いを行う場合には複数の外部記憶媒体をミシン本体に着脱し、希望する模様が格納されている外部記憶媒体を探して模様の組み合わせ決定する必要がある等、非常に手間が掛かる欠点があった。
本発明は上記した従来技術の問題点を解決することを目的とする。
【０００４】
【課題を解決するための手段及び作用】
上記目的を達成するために本発明の外部記憶媒体の模様情報に基づく刺繍縫いが可能なミシンは、ミシン本体に接続及び非接続可能な外部記憶媒体であって、複数の模様を形成するための情報と、その記憶媒体を識別するための情報とを有する外部記憶媒体と、ミシン本体に備えられ、該外部記憶媒体に記憶された複数の模様を形成するための情報に対応する複数の模様を表示するための情報と該外部記憶媒体を識別するための情報を予め記憶する手段と、前記外部記憶媒体を識別するための情報をミシン本体に与える手段と、該与えられた識別するための情報に基づいて、該外部記憶媒体に対応する前記複数の模様を表示するための情報を前記予め記憶する手段から出力可能とする有効化手段と、該有効化手段により出力可能とされた表示するための情報に基づいて前記外部記憶媒体に対応する前記模様を表示し、該識別するための情報に基づいて前記外部記憶媒体を識別するための情報を表示する表示手段と、前記模様情報に基づいて刺繍縫いを実行可能な刺繍縫い機構と、を有する。上記構成により、新たに外部記憶媒体を購入した場合等において、該外部記憶媒体に記憶された縫い目形成データに対応する表示データを有効化して、表示手段に表示することが可能になり、外部記憶媒体をミシン本体に接続しなくても、格納されている模様を視認でき、選択すべき模様を決めることができるようになる。しかも、ミシン本体には予め表示データのみを記憶させておけば良いから、記憶する手段の記憶容量も大きなものを必要としない。
表示データを有効化するために、例えば外部記憶媒体に記憶された識別するための情報を読み取る手段により読み取り、該読み取った外部記憶媒体に対応する表示データのみを有効化するようにしても良い。或いはキーボード等の入力手段から直接識別するための情報をミシン本体に入力するようにしても良い。
またミシン本体には上記に加えて、所定の模様を形成するための情報と、該模様を表示するための情報を有する内部記憶媒体を備えても良い。この内部記憶媒体には使用頻度の高い模様情報を記憶しておく等の使用方法が可能である。
更に前記外部記憶媒体及び／又は内部記憶媒体に記憶された模様を表示するための情報を組み合わせて前記表示手段に組み合わせ模様を表示させる手段と、該組み合わせ模様を表示させる手段により表示上組み合わされた組み合わせ模様の刺繍縫いをミシン本体の刺繍縫い機構に実行させる手段を設けて、模様の組み合わせを簡単に行えるように構成することも可能である。これにより外部記憶媒体の接続をその都度行うことなく、組み合わせ模様を決定することが可能になる。
前記表示手段に、前記組み合わせ模様の刺繍縫いを実行するに必要な外部記憶媒体の識別情報を、前記記憶する手段に記憶された識別するための情報に基づいて表示させるように構成することも可能であり、この構成により模様の刺繍縫い実行の際に、必要とする外部記憶媒体を簡単に知ることが可能になる。
【０００５】
【実施例】
以下本発明の一実施例を図面に基づいて説明する。
図１は機能ブロック図、図２はハード構成の一例を示すブロック図である。
図１において、外部記憶媒体１はミシン本体Ａとは別体に構成され、ミシン本体Ａに装着して読み出し手段７によりその記憶内容を読み出すことが可能に構成されている。この外部記憶媒体１は通常複数用意され、必要とする模様に応じて、外部記憶媒体１を交換してミシン本体Ａに装脱着して用いるようになっている。
外部記憶媒体１には、文字や記号或いは図形等の模様データが格納されており、この模様データは縫い目形成データと識別コードとから構成されている。
縫い目形成データはミシン本体Ａに備えられた刺繍縫い可能な縫い目形成機構８を駆動するためのデータである。また識別コードは当該外部記憶媒体１を識別するためのコードであり、各外部記憶媒体１毎に固有のコードが割り当てられている。
【０００６】
読み出し手段７は外部記憶媒体１の記憶内容を読み出して、その模様データを縫い実行制御手段６に送るようになっている。縫い実行制御手段６は読み出し手段７からの模様データの中の縫い目形成データに基づいて縫い目形成機構８を制御して、当該模様を形成する刺繍縫い目を形成させるようになっている。
【０００７】
ミシン本体Ａには表示／識別情報記憶手段２が設けられており、ここに外部記憶媒体の識別コードと該識別コードの外部記憶媒体に格納されている縫い目形成データに対応する表示データが予め記憶されている。この表示データは表示制御手段５を介して液晶表示或いはＣＲＴ等の表示手段３に模様形状を表示するためのデータである。表示／識別情報記憶手段２はミシン本体Ａの電源を切っても記憶内容が消えないものを使用し、望ましくは表示データの追加や消却や書き換えが可能なものを用いる。
この表示／識別情報記憶手段２には図示するように各外部記憶媒体Ａ〜Ｎ毎にその識別コードＡ〜Ｎと表示データａ１〜ａn、ーーーーーー、ｎ１〜ｎnが関連付けて登録されている。この表示／識別情報記憶手段２には全ての外部記憶媒体の縫い目形成データに対応する表示データを格納しておくのが望ましい。また、外部記憶媒体が増加した場合に、増加分に対応する表示データを新たに記憶させることが出来るように構成しておいても良い。
表示／識別情報記憶手段２に格納された表示データは表示データ有効化手段９により有効化されるように構成されている。該表示データ有効化手段９は読み出し手段７が読みだした外部記憶媒体１の識別コードを入力し、その識別コードに対応する表示データのみを有効なデータとして表示／識別情報記憶手段２から出力するようになっている。例えば、いま識別コードがＢの外部記憶媒体１が本体に装着されると、読み出し手段７が識別コードＢを読み取って、表示データ有効化手段９に信号を送り、表示データ有効化手段９は識別コードＢに対応する表示データｂ1〜ｂnを有効化して、出力可能とするようになっている。
識別コードの表示データ有効化手段９への供給方法は上記の他に種々の方法が採用可能である。例えば、識別コードをキーボードから入力したり、識別コードの入力の為の装置を接続して入力する方法などが採用可能である。
また有効化の具体的な手法も種々の構成のものを採用することが可能であり、例えば前記した識別コードを記憶しておき、表示データを取り出す際に該記憶した識別コードと照合して読み出すようにしても良い。また、表示／識別情報記憶手段２にチェックビットを設けて、有効化した表示データ群を他のものと識別できるようにしても良い。また有効化した表示データのみを他のメモリに移動するように構成することも可能である。更に、一定期間有効化されない表示データ群を自動的に消去するなどの方法も採用可能である。
【０００８】
表示データ有効化手段９により有効化された表示／識別情報記憶手段２の識別コードと表示データは所定の操作或いは指令に応じて表示制御手段５を介して表示手段３に表示されるように構成されている。
該表示制御手段５は表示手段３を制御して表示データに基づく表示を行わせると共に該表示上で模様の組み合わせを行えるように構成されており、操作者が表示手段３に表示された模様を見ながら、模様の選択及び模様の組み合わせを実行できるようになっている。この表示制御手段５で選択した模様或いは組み合わせた模様に関する情報は縫い実行制御手段６に送られるように構成されている。
なお、上記した読み出し手段７、表示制御手段５、表示手段３、縫い実行制御手段６、縫い目形成機構８は従来より知られた構成のものを採用すれば良い。例えば表示制御手段５は単純に模様を組み合わせる構成のものでも良いし、或いは模様の間隔、位置関係、大きさ、等を調整できるように構成したものであってもよい。また縫い実行制御手段６は各縫い目を座標データで表した縫い目形成データに基づいて縫いを実行させるものであっても良いし、或いは模様の頂点のみを定義した所謂頂点データに基づいて縫いを実行させる構成のものであっても良い。
【０００９】
この実施例では更に、ミシン本体Ａ内部に内部記憶媒体４を備えており、ここに使用頻度の高い模様データを予め格納するように構成されている。このデータも同様に表示制御手段５に供給されて表示手段３に表示され、或いは模様組み合わせに使用され、組み合わせ模様として表示される。また、縫い実行制御手段６を介して縫い目形成機構８により模様縫いが実行されるようになっている。
【００１０】
操作者は予め外部記憶媒体１の識別コードを読み出し手段７に読み取らせて、表示データ有効化手段９により表示／識別情報記憶手段２に格納された当該外部記憶媒体１に対応する表示データを有効化しておけば、表示手段３を見ながら、表示データ有効化済みの全ての外部記憶媒体１の模様と内部記憶媒体４に格納された模様の選択を行うことができる。また、模様の組み合わせを行う場合にも、表示制御手段５により表示手段３を見ながら、有効化済みの外部記憶媒体１の模様どうし、或いは外部記憶媒体１の模様と内部記憶媒体４の模様、更に内部記憶媒体４の模様どうしの組み合わせを行うことができる。
該表示手段３には模様表示だけでなく、該表示された模様が格納されている外部記憶媒体１を特定する識別コードも表示されるように構成されているから、実際に縫いを実行する際には表示手段３の表示に従って所定の外部記憶媒体１をミシン本体Ａに装着して読み出し手段７により縫い目形成データを読み取らせれば良い。
【００１１】
縫い実行制御手段６は表示手段３に表示された模様或いは模様の組み合わせに関する情報を表示制御手段５から入力し、該模様又は組み合わせ模様に応じた縫い目形成データを外部記憶媒体１又は内部記憶媒体４から入力して、縫い目形成機構８を制御して選択された模様或いは組み合わされた模様の刺繍縫いを実行するようになっている。
【００１２】
図２により具体的な構成を更に詳細に説明する。
中央演算処理装置１０はマイクロコンピュータを主体に構成されており、ミシン本体Ａの基本的な制御と共に、前記表示制御手段５と縫い実行制御手段６と表示データ有効化手段９の機能を果たすようになっている。
中央演算処理装置１０にはＲＯＭカードリーダ１７が接続されており、外部記憶媒体であるＲＯＭカード１１に格納された模様データをこのＲＯＭカードリーダ１７で読み出して、入力するようになっている。ＲＯＭカードリーダ１７と中央演算処理装置１０の間にはスイッチ装置１８が介在しており、ＲＯＭカード１１の抜き差しの際にＲＯＭカードリーダ１７と中央演算処理装置１０の間の接続を断って、ＲＯＭカード１１の装脱着時のノイズによる悪影響を排除するようになっている。
なお、外部記憶媒体としては、ＲＯＭカードの他にフロッピーディスク等の磁気記憶媒体、コンパクトディスク等の光記憶媒体、或いはＰＲＯＭ、ＥＰＲＯＭ、ＥＥＰＲＯＭ、ＲＡＭ等の他の半導体メモリ等を使用可能である。
【００１３】
中央演算処理装置１０には表示データ有効化キー２３が接続されており、操作者が表示データ有効化キー２３を操作することにより、中央演算処理装置１０は表示データの有効化モードを実行するようになっている。
この実施例では、表示データ／識別コード記憶装置１２に全てのＲＯＭカード１１の縫い目形成データに対応する表示データが格納されており、該表示データはＲＯＭカード１１毎に識別コードを付されて記憶されている。表示データ／識別コード記憶装置１２としては、ミシン本体の電源をオフしても記憶内容が消えないタイプの記憶装置を用いており、また望ましくは、新たに表示コードを追加したり、不要なものを消したりできる書き換え可能なものが望ましい。このようなタイプの記憶装置として、不揮発ＲＡＭやＥＰＲＯＭ、ＥＥＰＲＯＭが使用可能である。
中央演算処理装置１０は表示データ有効化キー２３の操作があると、ＲＯＭカードリーダ１７に装着されたＲＯＭカード１１から識別コードを読み出して、該識別コードを有効識別コード記憶装置１９に記憶するように構成されている。そして、表示データ／識別コード記憶装置１２の表示データに基づいて表示装置１３に模様を表示する際に、有効識別コード記憶装置１９に記憶された識別コードに対応する表示データのみを表示させ、有効識別コード記憶装置１９に記憶されていない識別コードに対応する表示データの表示を禁止するように構成されている。
なお、識別コードをキーボード等から入力して有効識別コード記憶装置１９に記憶させるように構成することも可能である。
また表示データ／識別コード記憶装置１２の表示データを有効化するための構成も種々のものが採用可能であり、例えばメモリ容量に余裕があれば有効化された表示データのみを他の記憶装置に記憶させることも可能である。また表示データ／識別コード記憶装置１２の識別コードにチェックビットを設けて、有効化されているか否かを判別出来るようにしても良い。更に、一定期間に有効化の操作が行われなかった表示データを消去する等の方法も可能である。
【００１４】
中央演算処理装置１０にはまた内蔵模様データ記憶装置１４が接続されており、予め決められた模様データがここに格納されている。そして模様選択キー２０が設けられ、操作者が模様選択キー２０を操作することにより内蔵模様データ記憶装置１４に格納された模様データの中の表示データ或いは表示データ／識別コード記憶装置１２の有効化された表示データを用いて、表示装置１３に当該模様が表示されるようになっている。
【００１５】
この実施例では、表示装置１３には模様と共にその模様データが格納された記憶装置、即ちＲＯＭカード１１であればその識別コード表示がなされ、また内蔵模様データ記憶装置１４であればその旨の表示がなされるようになっている。
なお、模様選択のための構成には、模様を識別する番号の入力や或いは表示装置１３に縮小模様を多数表示させてタッチパネルで模様を選択する等種々の構成を採用することが可能である。
【００１６】
中央演算処理装置１０には組み合わせ指定キー２１が設けられており、ＲＯＭカード１１に格納された模様と内蔵模様データ記憶装置１４に格納された模様の中の模様を任意に組み合わせることが可能なっている。中央演算処理装置１０は組み合わせ指定キー２１による組み合わせの指令があると、表示データ／識別コード記憶装置１２からの有効化表示データ或いは内蔵模様データ記憶装置１４からの表示データに基づいて、表示データの合成を行い、これを表示装置１３に表示させるように構成されている。
【００１７】
なお、表示切り替えキー２２は表示装置１３の表示モードを切り換えるもので、例えば前記したような模様選択や模様組み合わせのモードと通常の縫いを実行する場合のモード等とを切り換えるためのキーである。
【００１８】
中央演算処理装置１０はモータ駆動回路３０を介してＸ方向モータ３１とＹ方向モータ３２を制御し、図３に示す刺繍枠３３をＸＹ方向に移動させて、刺繍縫いを実行させるようになっている。また同様に針３４及び送り機構（図示せず）を制御して縫いを実行させるようになっている。この縫いの制御は始動／停止指令キー２４に基づいて行うようになっている。
中央演算処理装置１０は前記したように模様選択キー２０により選択された模様或いは組み合わせ指定キー２１の操作により組み合わされた模様の縫い目形成データをＲＯＭカード１１或いは内蔵模様データ記憶装置１４から読み出して、該縫い目形成データに基づいてモータ駆動回路３０を制御し、該模様の刺繍縫いを実行させるようになっている。ＲＯＭカード１１或いは内蔵模様データ記憶装置１４からの縫い目形成データは一時記憶装置１５に一時記憶させて用いても良いし、一時記憶させずに直接用いても良い。
前記選択された模様或いは組み合わされた模様の刺繍縫いに必要なＲＯＭカード１１の識別記号は表示装置１３に表示され、刺繍縫いの進行或いは一時記憶処理の進行に対応して、ＲＯＭカード１１の交換を促すカード交換表示や交換が行われたことを示すカード装着表示がなされるように構成されている。
【００１９】
図３はミシン本体Ａの外観図であり、表示装置１３及び模様選択キー２０、組み合わせ指定キー２１、表示切り替えキー２２、表示データ有効化キー２３、始動／停止指令キー２４等は機枠のアーム上に配設されている。また、ＲＯＭカードリーダ１７のスロットル部が本体の右脇に設けられており、ここからＲＯＭカード１１を抜き差しするように構成されている。ＲＯＭカード１１を装着する際にはＲＯＭカード１１を単にスロットルに押し込み、ＲＯＭカード１１を取り出す際にはＲＯＭカード取出し釦２５を操作することによりＲＯＭカード１１を排出するように構成されている。なお、ＲＯＭカード１１の装着時にはＲＯＭカード１１の装着検出信号が中央演算処理装置１０に送られ、またＲＯＭカード取出し釦２５操作時にはその旨の信号が中央演算処理装置１０に送られ、該信号に対応してスイッチ装置１８のオンオフ制御が行われるようになっている。
【００２０】
図４により表示データ有効化の動作を説明する。
中央演算処理装置１０は表示データ有効化キー２３の操作があると、有効化モードに入る（ステップＳ１）。操作者がＲＯＭカード１１をＲＯＭカードリーダ１７に装着すると（ステップＳ２）、中央演算処理装置１０から有効化指令が出力され（ステップＳ３）、ＲＯＭカード１１に格納された識別コードが有効識別コード記憶装置１９に記憶される（ステップＳ４）。そして、次のＲＯＭカード１１の有効化を行う場合にはステップＳ２に戻り（ステップＳ５）、次の登録を行わない場合には表示データ有効化キー２３を再度操作して登録モードを終了する。
【００２１】
ＲＯＭカード１１の交換の際には、前記したようにスイッチ装置１８のオンオフが行われる。この動作を図５に示す。
ＲＯＭカード取出し釦２５の操作によりＲＯＭカード１１の取り出し動作が検出されると（ステップＳ１０）、スイッチ装置１８がオフとなりＲＯＭカードリーダ１７と中央演算処理装置１０とが遮断される（ステップＳ１１）。これにより、ＲＯＭカード１１交換の際のノイズ等による誤動作を防止できる。ＲＯＭカード１１が交換され（ステップＳ１２）、ＲＯＭカード１１のスロットルへの装着が検出されると（ステップＳ１３）、スイッチ装置１８が再度オンになる（ステップＳ１４）。
そして再びＲＯＭカード１１の取り出し動作により上記ステップが繰り返される。
【００２２】
以上のように一度表示データ／識別コード記憶装置１２の表示データを有効化しておけば、以後の模様選択或いは模様組み合わせは表示データ／識別コード記憶装置１２の有効化表示データを使用して実行することが可能になる。
この模様選択及び組み合わせの動作を図６により説明する。なお、ここでは模様番号等の模様識別コードを入力することにより模様を選択する構成の動作を説明する。
模様選択キー２０が操作されると（ステップＳ２０）、選択された模様が内蔵模様データ記憶装置１４に記憶された模様か判断し、内蔵模様であればステップＳ２３に飛ぶ（ステップＳ２１）。内蔵模様でない場合には有効識別コード記憶装置１９をチェックして、選択模様が表示データ／識別コード記憶装置１２に記憶された模様の中の有効化模様であるか否か判断して、有効化模様でなければ該模様選択は無視して、ステップＳ２０の模様選択キー２０操作待ち状態に戻る（ステップＳ２２）。内蔵模様或いは有効化模様である場合には、中央演算処理装置１０は表示データに基づいて該模様を表示装置１３に表示させると共に（ステップＳ２３）、選択された模様の格納されているＲＯＭカード１１の識別コードと模様識別コード（模様毎に予め付された識別コードや格納されている先頭番地等）を記憶する。内蔵模様データ記憶装置１４に記憶されている模様の場合にはＲＯＭカード１１の識別コードのかわりに内蔵模様データ記憶装置１４であることを示すコードを記憶する（ステップＳ２４）。
次に操作者が組み合わせ指定キー２１を操作すると、ステップＳ２０に戻り次の模様選択が行われ、同様にＲＯＭカード１１の識別コードと模様識別コードが記憶される（ステップＳ２５）。所定時間組み合わせ指定キー２１の操作がない場合には模様選択モードを終了する。
なお、最初に内蔵模様データ記憶装置１４に格納された模様と、表示データ／識別コード記憶装置１２に格納され且つ有効化された模様の全てを表示装置１３に表示させ、キーボード或いはタッチパネル等により選択する構成も可能である。
【００２３】
次に図７により縫い実行動作を説明する。
選択され組み合わされた模様の刺繍縫いを実行するために操作者が始動／停止指令キー２４を操作して刺繍縫い実行指令を出すと（ステップＳ３０）、中央演算処理装置１０は前記選択した模様の識別コードを選択した順序にチェックして、選択模様が内蔵模様データ記憶装置１４に格納された模様であるか（ステップＳ３１）、現在装着されているＲＯＭカード１１に格納された模様であるか（ステップＳ３３）、判断する。内蔵模様データ記憶装置１４或いは装着されたＲＯＭカード１１に格納された模様である場合は、記憶した模様の識別コードに従って、内蔵模様データ記憶装置１４又はＲＯＭカード１１から該模様の縫い目形成データを読み出し、一時記憶装置１５に一時記憶して（ステップＳ３２、３４）、ステップＳ３８に飛ぶ。
模様が内蔵模様データ記憶装置１４の模様でもなく、また装着中のＲＯＭカード１１の模様でもない場合には中央演算処理装置１０は表示装置１３にＲＯＭカード１１交換の表示と、装着すべきＲＯＭカード１１の識別コードを表示して操作者にＲＯＭカード１１の交換を促す（ステップＳ３５）。ＲＯＭカード１１が交換されると（ステップＳ３６）、当該模様の縫い目形成データを読み出し、一時記憶装置１５に一時記憶する（ステップＳ３７）。なお、ステップＳ３６の動作は図５に示した通りである。
選択され或いは組み合わされた全ての模様に関する縫い目形成データが読み出されたか否か判断し（ステップＳ３８）、読み出されていなければステップＳ３１に戻り同様の動作を繰り返す。読み出しが完了していれば、選択した順序に模様の刺繍縫いを実行する（ステップＳ３９）。そして、全ての模様の刺繍縫いを終了したら（ステップＳ４０）、縫い動作を終わる。
【００２４】
なお、図７に刺繍縫い動作では一度全ての模様の縫い目形成データを一時記憶装置１５に記憶してから、縫い動作を実行しているが、模様毎に縫いを実行する方法も可能である。
この動作を図８により説明する。
選択され或いは組み合わされた模様の刺繍縫いを実行するために操作者が始動／停止指令キー２４を操作して刺繍縫い実行指令を出すと（ステップＳ５０）、中央演算処理装置１０は前記選択した模様の識別コードを選択した順序にチェックして、選択模様が内蔵模様データ記憶装置１４に格納された模様であるか（ステップＳ５１）、現在装着されているＲＯＭカード１１に格納された模様であるか（ステップＳ５２）、判断する。内蔵模様データ記憶装置１４或いは装着されたＲＯＭカード１１に格納された模様である場合は、記憶した模様の識別コードに従って、内蔵模様データ記憶装置１４又はＲＯＭカード１１から該模様の縫い目形成データを読み出し（ステップＳ５６）、刺繍縫いを実行する（ステップＳ５７）。
模様が内蔵模様データ記憶装置１４の模様でもなく、また装着中のＲＯＭカード１１の模様でもない場合には、中央演算処理装置１０は表示装置１３にＲＯＭカード１１交換の表示と、装着すべきＲＯＭカード１１の識別コードを表示して操作者にＲＯＭカード１１の交換を促す（ステップＳ５３）。ＲＯＭカード１１が交換されると（ステップＳ５４）、交換したＲＯＭカード１１から模様の縫い目形成データを読み出し（ステップＳ５６）、刺繍縫いを実行する（ステップＳ５７）。
刺繍縫いに際しては、縫い目形成データの読み出し毎に縫い実行を繰り返す（ステップＳ５８）。
そして、選択され或いは組み合わされた全ての模様が終了したか否か確認し（ステップＳ５９）、終了していれば動作を終わる。終了していなければ、次の模様についてステップＳ５１からの動作を繰り返す。
なお、模様の配列順に刺繍縫いを行うのではなく、同一ＲＯＭカード１１に記憶されている複数の模様を他の模様分のスペースをあけて先に刺繍縫いし、次に空いている空間に他の模様を刺繍縫いするようにしても良い。
【００２５】
【発明の効果】
以上説明したように本発明の外部記憶媒体の模様情報に基づく刺繍縫いが可能なミシンは、表示データと識別コードを予めミシン本体に記憶させて、これらを有効化して表示できるようにしているため、どの外部記憶媒体にどの模様情報が記憶されているのか簡単に知ることができる。また、模様の選択や組み合わせ等を決定すること等も外部記憶媒体の接続をその都度行うことなく可能になる。またミシン本体には表示データと識別コードだけが予め格納され、縫い目形成データを格納しておく必要がないから、ミシン本体に大きな容量の記憶装置を備える必要がない。
また表示するための情報を組み合わせて前記表示手段に組み合わせ模様を表示させる手段とこの手段により組み合わされた組み合わせ模様の刺繍縫いをミシン本体の刺繍縫い機構に実行させる手段を設けた場合には、外部記憶媒体の差し替えを行うことなく、組み合わせ模様を決定することが可能になる。
更に前記表示手段に、前記組み合わせ模様の刺繍縫いを実行するに必要な外部記憶媒体の識別情報を、前記記憶する手段に記憶された識別するための情報に基づいて表示させるように構成した場合には、模様の刺繍縫い実行の際に、必要とする外部記憶媒体を簡単に知ることが可能になる。
【図面の簡単な説明】
【図１】本発明の一実施例を示す機能ブロック図。
【図２】本発明の一実施例を更に詳細に示すブロック図。
【図３】本発明の一実施例を示す外観図。
【図４】本発明の一実施例の表示データ登録動作を示すフローチャート図。
【図５】本発明の一実施例のＲＯＭカード交換動作を示すフローチャート図。
【図６】本発明の一実施例の模様選択、組み合わせ動作を示すフローチャート図。
【図７】本発明の一実施例の刺繍縫い動作の一例を示すフローチャート図。
【図８】本発明の一実施例の刺繍縫い動作の他の例を示すフローチャート図。
【符号の説明】
１：外部記憶媒体、２：表示／識別情報記憶手段、３：表示手段、４：内部記憶媒体、５：表示制御手段、６：縫い実行制御手段、７：読み出し手段、８：縫い目形成機構、９：表示データ有効化手段、１０：中央演算処理装置、１１：ＲＯＭカード、１２：表示データ／識別コード記憶装置、１３：表示装置、１４：内蔵模様データ記憶装置、１５：一時記憶装置、１７：ＲＯＭカードリーダ、１８：スイッチ装置、１９：有効識別コード記憶装置、２０：模様選択キー、２１：組み合わせ指定キー、２２：表示切り替えキー、２３：表示データ有効化キー、２４：始動／停止指令キー、２５：ＲＯＭカード取出し釦、３０：モータ駆動回路、３１：Ｘ方向モータ、３２：Ｙ方向モータ、３３：刺繍枠、３４：針。
【図１】
0003774242.tif 000002
【図２】
0003774242.tif 000003
【図３】
0003774242.tif 000004
【図４】
0003774242.tif 000005
【図５】
0003774242.tif 000006
【図６】
0003774242.tif 000007
【図７】
0003774242.tif 000008
【図８】
0003774242.tif 000009